(57)【要約】      （修正有）【課題】収納時に積み重ねても崩れることなく安定した状態を保つことができ、しかも対面者からの飛沫を完全に阻止できる卓上用パーテーションを提供する。【解決手段】卓上用パーテーションは、復元性を有する透明樹脂板１を復元力に抗して湾曲成形してある。湾曲した透明樹脂板１が復元するのを阻止する手段としては、透明樹脂板１の上辺７と下辺８を長尺材で繋いで復元するのを阻止するようになっている。また透明樹脂板１の略中央に穴２を穿設し、穴２には音声は通過させるが人が飛散させる飛沫は通過させないというマスクのようなフィルターが設置されている。【選択図】図３
0003233267.tif 000002
【実用新案登録請求の範囲】
【請求項１】
復元性を有する透明樹脂板は復元力に抗して湾曲成形してあり、湾曲部分の略中心に穴が穿設してあって、該穴には音声は容易に通過させるが会話時に口から飛散する飛沫は通過させないフィルターを設置するとともに、湾曲成形した透明樹脂板の上辺と下辺には湾曲した透明樹脂板が復元するのを阻止する復元阻止手段が講じられていることを特徴とする卓上用パーテーション。
【請求項２】
前記上辺と下辺の復元阻止手段は、上辺と下辺の二箇所に長尺材の両端を係止させたことを特徴とする請求項１記載の卓上用パーテーション。
【請求項３】
前記下辺の復元阻止手段は、テーブルに取り付けた二個の固定具に下辺の二か所を固定したことを特徴とする請求項１記載の卓上用パーテーション。
【考案の詳細な説明】
【技術分野】
【０００１】  本考案は、テーブル上に置いて対面者の口から飛散する飛沫を防ぐ卓上用パーテーションに関する。
【背景技術】
【０００２】  近時、肺炎の原因となるウイルスの感染が急増しており、この感染は会話中に多いことが判明している。つまり会話中に口中の唾液が見えないほどの微細な飛沫として口から飛散されるが、このとき飛沫を飛散する人がウイルスに感染していると、飛沫中にウイルスが存在し、それを感染者の近傍にいる人が吸い込んでウイルスに感染してしまうものである。【０００３】  しかしながら感染者がマスクを着用していれば、会話時にウイルスを含む飛沫はマスクで阻止されてマスクから外に飛散されることはない。また非感染者が感染者の近くにいてもマスクを着用していれば、ウイルスを含む飛沫はマスクに吸着されて非感染者がウイルスを吸い込むことがない。つまりマスクはウイルスの感染予防に効果があるものである。【０００４】  ところでマスクは口を覆うものであるため、食事中はどうしてもマスクを外さなければならない。従って、複数の人が食事中に会話をすれば、それぞれが飛沫を周囲に飛散させたり、互いに飛沫を吸い込みあったりしてしまうものである。この中に一人でもウイルスの感染者がいると、多くの人が感染するというクラスターが発生してしまう。【０００５】  そこで複数の人が一つのテーブルで食事や飲食をするような飲食店、学生寮、老人ホーム等では互いの飛沫が周囲に飛散しないようにパーテーションを設置することがなされている。（特許文献１〜３）
【先行技術文献】
【特許文献】
【０００６】
【特許文献１】３２２９７９８号公報
【特許文献２】３２２８０８５号公報
【特許文献３】３２２６６６７号公報
【考案の概要】
【考案が解決しようとする課題】
【０００７】  特許文献１のパーテーションは、透明板が湾曲しており、意匠的には優美なものであるが、使用後に積み重ねて収納するときに、湾曲形状が積み重ねに不都合を生じさせるものであった。つまり、このパーテーションは、湾曲形状がそのままの形であるため、積み重ねたときに湾曲部同士が完全に重ならない。従って、特許文献１のパーテーションは、重ねたときに高さが高くなって収納場所を広く占拠し、更には全体がぐらついて不安定となって倒れることがあった。。【０００８】  特許文献２のパーテーションは、正面板と該正面板に直交する側面板が蝶番で回動自在に連結されているため、収納時に全面が平らな一枚の板となることから、容易に積み重ねることができるばかりでなく、積み重ねても高くはならない。しかもこのパーテーションは、前面に会話口が設けられているため、この会話口を通して対面者の声を良く聞きとおすことができる。しかしながら、このパーテーションは、会話口が前面に単に多数の小穴を穿設してあるだけであることから、対面者から飛散される飛沫は小穴を容易にすり抜け、ウイルスの感染防止にはあまり効果がない。【０００９】  特許文献３のパーテーションは、両側面、天板が固定されているため、重ねたときに特許文献１同様高さが高くなってしまうものであった。またこのパーテーションは、正面板の下部に下窓が開口されていて、食事中に該窓を窓蓋で閉じておけば話をしても飛沫が対面者に届くことはないが、会話時、非会話時に窓蓋を開けたり、閉めたりしなければならにという煩雑さがあった。【００１０】  本考案は、収納時に積み重ねても崩れることなく安定した状態を保つことができ、しかも対面者からの飛沫を完全に阻止できる卓上用パーテーションを提供することにある。
【課題を解決するための手段】
【００１１】  本考案者らは、平らなアクリル板は手で丸めてから手を離すと略平らに戻るものであり、またマスクは音声を容易に通過させるが、人の口から飛散する飛沫は通過させないことに着目して本考案を完成させた。【００１２】  請求項１に係る考案は、復元性を有する透明樹脂板は復元力に抗して湾曲成形してあり、湾曲部分の略中心に穴が穿設してあって、該穴には音声は容易に通過させるが会話時に口から飛散する飛沫は通過させないフィルターを設置するとともに、湾曲成形した透明樹脂板の上辺と下辺には湾曲した透明樹脂板が復元するのを阻止する復元阻止手段が講じられていることを特徴とする卓上用パーテーションである。【００１３】  本考案における復元性とは、平らな透明樹脂板に力を掛けて湾曲させた後、力を抜くと透明樹脂板は完全な平らには戻らないまでも略平らな状態に戻ることをいう。【００１４】  また本考案における復元力とは、湾曲させた透明樹脂板が元の平らな形状に戻ろうとする力である。【００１５】  本考案に使用するフィルターは、音声は容易に通過させるが会話時に口から飛散する飛沫は通過させないもので、一般のマスクに使用されている不織布やガーゼ等が適している。【００１６】  透明樹脂板へのフィルターの設置は、透明樹脂板に穴を穿設し、市販のマスクで穴を覆ってマスクのゴム紐を穴の両側に取り付けた突起部に引掛けたり、或いは該穴よりも少し大きく形成したフィルターで穴全体を覆ったりしてもよい。【００１７】  穴全体をフィルターで覆う場合、穴の周囲に両面粘着テープを貼り付けたり、穴の周囲を剥離可能な粘着剤を塗布したり、或いは穴と同一の内径穴を有する環状リンクで押さえたりする。【００１８】  本考案に用いる長尺材とは、紐、帯状の樹脂板や金属板などであり、長尺材を湾曲に成形した透明樹脂板の上辺と下辺に係止させて湾曲形成した透明樹脂板が復元するのを阻止するものである。【００１９】  請求項２の考案は、前記上辺と下辺の復元阻止手段は、上辺と下辺の二箇所に長尺材の両端を係止させたことを特徴とする請求項１記載の卓上用パーテーションである。【００２０】  透明樹脂板の上・下辺と長尺材との係止は、長尺材が紐であれば、上・下辺の二箇所に紐が通るくらいの穴を穿設し、該穴に紐を通して結び付けたり、上・下辺の二箇所にクリップのような挟持具を固定しておき、該クリップに紐の端部に取り付けたフックを係止させることもできる。【００２１】    請求項３の考案は、前記下辺の復元阻止手段は、テーブルに取り付けた二個の固定具に下辺の二か所を固定したことを特徴とする請求項１記載の卓上用パーテーションである。【００２２】  下辺の復元阻止手段の固定具としては、クランプが適している。湾曲成形した透明樹脂板をテーブルに安定設置するために、透明樹脂板の下辺の両端に樹脂や金属のアングル材を取り付けておき、透明樹脂板を湾曲成形してテーブル上に乗せてから、アングル材とテーブルとをクランプで固定する。すると透明樹脂板をは全く復元しないばかりでなく、透明樹脂板はテーブルに強固に固定されるため、透明樹脂板に人が触れても透明樹脂板は移動したり、倒れたりすることがない。
【考案の効果】
【００２３】  本考案の卓上用パーテーションは、使用時に湾曲形状であったものが、上・下辺の復元阻止手段を外すと、透明樹脂板の復元力により略平らな形状に復元するため、使用後、多数の卓上用パーテーションを収納するときに、それらを重ねても高くならないばかりでなく、ぐらつくようなこともない。更に本考案の卓上用パーテーションは中央部に穴が穿設されているため、対面者の声は良く聞き取れ、しかも該穴にはウイルス含有の飛沫を通過させないフィルターが設置されているため、ウイルスの感染を防止するという従来にない優れた効果を有するものである。
【図面の簡単な説明】
【００２４】
【図１】本考案卓上用パーテーションにおいて、透明樹脂板を湾曲成形する前の状態の正面図
【図２】図１の平面図
【図３】透明樹脂板の穴をマスクで覆った実施例の斜視図
【図４】透明樹脂板の穴を円形フィルターで覆った実施例の斜視図
【図５】復元阻止手段として帯状板を使用した実施例の平面図
【図６】復元阻止手段として長尺の紐を用いた実施例の部分拡大図
【図７】復元阻止手段として長尺の帯板を用いた実施例の部分拡大図
【図８】復元阻止手段として下辺をクランプで固定した実施例の一部破断部分拡大図
【考案を実施するための形態】
【００２５】  以下、図面に基づいて本考案の卓上パーテーションを説明する。
【００２６】  卓上用パーテーションは、本体が矩形の透明樹脂板１である。本体に使用する透明樹脂板としては、透明なアクリル板が適している。透明なアクリル板は、図２のように両端に力Ｆを掛けて湾曲させた後、力を抜くと略平らとなる復元性を有するものである。つまりアクリル板は湾曲した状態では、元に戻ろうとする復元力を有していて、湾曲形成するには復元力に抗して湾曲させなければならない。
【００２７】  透明樹脂板１の略中央には、穴２が穿設されている。該穴は、市販のマスクより少し小さめである。穴２には、穴２を覆うようにマスク３が設置されている。マスク３はゴム紐４、４を伸ばした状態で穴２の両側部分に設置された四本の突起５・・・に引掛けられて設置されている。
【００２８】  マスクは、音声は通過させるが、飛沫は通過させない作用を有するフィルターであるが、フィルターとしてはマスク以外にもマスク生地を用いた円形状のものを用いることができる。図４は円形状のマスク生地を用いたもので、円形状のマスク生地６は、穴２の直径よりも少し大径となっている。穴２への円形状のマスク生地６の取り付けは、穴の周囲に両面接着テープを貼り付けたり、或いは剥離可能な粘着剤を塗布して貼り付けたり、或いは内径が穴２と略同一の環状リンクで押さえたりする。
【００２９】  透明樹脂板１は、図２のように力Ｆを加えて、図３〜５のように湾曲形成させる。そしてこの湾曲状態を保つために、透明樹脂板１の上辺７と下辺８に復元阻止手段を講じる。図３、４、６の実施例では復元阻止手段として長尺の紐９を用いている。長尺の紐９は、透明樹脂板１の上辺７と下辺８の両端に穿設した穴を通し図６に示すように抜けないように結んでおく。
【００３０】  上・下辺の復元阻止手段としては、図５、７に示すような長尺の帯板１０を用いてもよい。帯板１０は樹脂板や金属板である。帯板１０は、端部が直角に形成されており、透明樹脂板１とは蝶ネジ１１で固定されている。
【００３１】  下辺８の復元阻止手段としては、図８に示すように下辺８をクランプ１２で固定することもできる。この復元阻止手段は、下辺８にアングル材１３が取り付けられており、該アングル材をテーブル１４上に置いて、アングル材１３とテーブル１４をクランプ１２の押さえ片１５と移動片１６で挟み込んで固定するものである。透明樹脂板１をクランプ１２で固定すると、透明樹脂板１を触ったり、物が当たったりしても卓上用パーテーションは移動したり、倒れたりすることが決してないという強固な安定状態を保つ。
【００３２】  以上、説明したように、本考案の卓上用パーテーションは、使用時は湾曲した優美な形状であり、使用後の収納時には湾曲形状を平らな形状に戻すことができるため、使用後の収納時には、積み重ねが高くならずコンパクトに収納でき、しかも対面者の声を良く聞き取れるばかりでなく、対面者からの飛沫を十分阻止することができるものである。
【符号の説明】
【００３１】  １  透明樹脂板
２  穴
３  マスク
４  ゴム紐
５  突起
６  円形状のフィルター
７  上辺
８  下辺
９  紐
１０  長尺の帯板
１１  蝶ネジ
１２  クランプ
１３  アングル
１４  テーブル
１５  押さえ片
１６  移動片
【図１】
0003233267.tif 000003
【図２】
0003233267.tif 000004
【図３】
0003233267.tif 000005
【図４】
0003233267.tif 000006
【図５】
0003233267.tif 000007
【図６】
0003233267.tif 000008
【図７】
0003233267.tif 000009
【図８】
0003233267.tif 000010